【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
外部装置と通信することができる通信装置であって、
着脱可能な記録媒体にコンテンツデータを記録する記録手段と、
前記コンテンツデータを前記外部装置に送信する送信手段と、
前記外部装置に前記コンテンツデータを送信するために必要な情報を前記外部装置と通信することにより取得し、前記記録媒体とは異なる着脱不可能な記録媒体に保持する設定モードと、前記設定モードで保持された情報を用いて前記外部装置と通信し、前記記録媒体から読み出したコンテンツデータを前記外部装置に送信する送信モードとを含む複数のモードから一つのモードを選択する選択手段と、
前記記録媒体が取り外し可能な状態か否かを判断する判断手段と、
前記外部装置との通信を制御する制御手段とを有し、
前記判断手段により前記記録媒体が取り外し可能な状態であると判断された際に、前記モードが前記送信モードである場合、前記制御手段は前記外部装置との通信を停止し、
前記判断手段により前記記録媒体が取り外し可能な状態であると判断された際に、前記モードが前記設定モードである場合、前記制御手段は前記外部装置との通信を停止しないことを特徴とする通信装置。
【請求項２】
前記設定モードは、前記選択手段により設定モードが選択されたことに応じて開始し、前記外部装置に前記コンテンツデータを送信するために必要な情報の、前記着脱不可能な記録媒体への保持が完了することに応じて終了することを特徴とする請求項１に記載の通信装置。
【請求項３】
前記設定モードは、前記外部装置と通信するためのネットワークの設定が完了することに応じて終了することを特徴とする請求項１に記載の通信装置。
【請求項４】
前記送信モードは、ユーザから受け付けた指示に応じて前記設定モードにて保持された情報を用いて前記外部装置と通信し、前記記録媒体から読み出したコンテンツデータを前記外部装置に送信するクライアントモードを含み、
前記判断手段により前記記録媒体が取り外し可能な状態であると判断された際に、前記モードが前記クライアントモードである場合、前記制御手段は前記外部装置との通信を停止することを特徴とする請求項１乃至３のいずれか１項に記載の通信装置。
【請求項５】
前記外部装置からの指示を受け付ける手段を更に有し、
前記送信モードは、前記設定モードにて保持された情報を用いて前記外部装置と通信し、前記外部装置からの指示に応じて前記記録媒体から読み出したコンテンツデータを前記外部装置に送信するサーバモードを含み、
前記判断手段により前記記録媒体が取り外し可能な状態であると判断された際に、前記モードが前記サーバモードである場合、前記制御手段は前記外部装置との通信を停止することを特徴とする請求項１乃至４のいずれか１項に記載の通信装置。
【請求項６】
前記判断手段により前記記録媒体が取り外し可能な状態であると判断されている間、前記送信モードは前記選択手段により選択されないことを特徴とする請求項１乃至５のいずれか１項に記載の通信装置。
【請求項７】
前記判断手段により前記記録媒体が取り外し可能な状態であると判断されている間は、前記選択手段による前記送信モードの選択が不可能であることをユーザに通知する手段を更に有することを特徴とする請求項１乃至６のいずれか１項に記載の通信装置。
【請求項８】
前記モードが前記送信モードであっても、前記外部装置と通信する際に用いる通信プロトコルがＦＴＰである場合は、前記制御手段は前記外部装置との通信を停止しないことを特徴とする請求項１乃至７のいずれか１項に記載の通信装置。
【請求項９】
前記記録媒体を覆う開閉可能な蓋部材を更に有し、
前記判断手段は、前記蓋部材の開閉の状態に基づき、前記記録媒体が取り外し可能な状態か否かを判断することを特徴とする請求項１乃至８のいずれか１項に記載の通信装置。
【請求項１０】
外部装置と通信することができる通信装置の制御方法であって、
着脱可能な記録媒体にコンテンツデータを記録する記録ステップと、
前記外部装置に前記コンテンツデータを送信するために必要な情報を前記外部装置と通信することにより取得し、前記記録媒体とは異なる着脱不可能な記録媒体に保持する設定ステップと、
前記設定ステップで保持された情報を用いて前記外部装置と通信し、前記記録媒体から読み出したコンテンツデータを前記外部装置に送信する送信ステップとを有し、
前記送信ステップの実行中に前記着脱可能な記録媒体が取り外し可能な状態となった場合は前記外部装置との通信を停止し、
前記設定ステップの実行中に前記着脱可能な記録媒体が取り外し可能な状態となった場合は前記外部装置との通信を停止しないことを特徴とする通信装置の制御方法。
【請求項１１】
コンピュータを請求項１乃至９のいずれか１項に記載の通信装置として機能させるプログラム。
【請求項１２】
外部装置と通信することができる通信装置であって、
着脱可能な記録媒体にコンテンツデータを記録するよう制御する記録手段と、
前記コンテンツデータを前記外部装置に送信する送信手段と、
前記記録媒体にアクセスする第一のモードと、前記記録媒体にアクセスしない第二のモードとを含む複数のモードから一つのモードを選択する選択手段と、
前記記録媒体が取り外し可能な状態か否かを判断する判断手段と、
前記外部装置との通信を制御する制御手段とを有し、
前記判断手段により前記記録媒体が取り外し可能な状態であると判断された際に、前記モードが前記第一のモードである場合、前記制御手段は前記外部装置との通信を停止し、
前記判断手段により前記記録媒体が取り外し可能な状態であると判断された際に、前記モードが前記第二のモードである場合、前記制御手段は前記外部装置との通信を停止しないことを特徴とする通信装置。
【請求項１３】
前記着脱可能な記録媒体とは別の、着脱不可能な記録領域を更に有し、
前記第一のモードは、少なくとも前記着脱可能な記録媒体にアクセスするモードであり、前記第二のモードは、前記着脱可能な記録媒体とは別の、前記着脱不可能な記録領域にアクセスするモードであることを特徴とする請求項１２に記載の通信装置。
【請求項１４】
前記第一のモードは、前記着脱可能な記録媒体からデータを読み出すモードであり前記第二のモードは、前記記録媒体とは別の、前記着脱不可能な記録領域にデータを記録するモードであることを特徴とする請求項１３に記載の通信装置。
【請求項１５】
前記判断手段により前記記録媒体が取り外し可能な状態であると判断されている間、前記送信モードは前記選択手段により選択されないことを特徴とする請求項１２乃至１４のいずれか１項に記載の通信装置。
【請求項１６】
前記判断手段により前記記録媒体が取り外し可能な状態であると判断されている間は、前記選択手段による前記送信モードの選択が不可能であることをユーザに通知する手段を更に有することを特徴とする請求項１２乃至１５のいずれか１項に記載の通信装置。
【請求項１７】
被写体を撮像して動画データを生成する撮像手段を更に有し、
前記記録手段は、前記撮像手段により生成された動画データを前記コンテンツデータとして前記着脱可能な記録媒体に記録するよう制御することを特徴とする請求項１２乃至１６のいずれか１項に記載の通信装置。
【請求項１８】
外部装置と通信することができる通信装置の制御方法であって、
着脱可能な記録媒体にコンテンツデータを記録するよう制御する記録ステップと、
前記コンテンツデータを前記外部装置に送信する送信ステップと、
前記記録媒体にアクセスする第一のモードと、前記記録媒体にアクセスしない第二のモードとを含む複数のモードから一つのモードを選択する選択ステップと、
前記記録媒体が取り外し可能な状態か否かを判断する判断ステップと、
前記外部装置との通信を制御する制御ステップとを有し、
前記判断ステップで前記記録媒体が取り外し可能な状態であると判断された際に、前記モードが前記第一のモードである場合、前記制御ステップでは前記外部装置との通信を停止し、
前記判断ステップで前記記録媒体が取り外し可能な状態であると判断された際に、前記モードが前記第二のモードである場合、前記制御ステップでは前記外部装置との通信を停止しないことを特徴とする通信装置の制御方法。
【請求項１９】
コンピュータを請求項１２乃至１７のいずれか１項に記載の通信装置として機能させるプログラム。